(57)【要約】      （修正有）【課題】室内において、手軽に足腰の筋肉及びバランス感覚を鍛えることができる健康促進用履物を提供する。【解決手段】略楕円形の通気性のある上地２と下地３とを縫合し、その中に合繊綿及び弾力性のある発泡樹脂等のクッション材を最大に詰めて膨らませたものを履物本体１とし、該履物本体の上部前寄りに甲皮５を取付けて健康促進用履物を構成する。【選択図】図１
0003149784.tif 000002
【実用新案登録請求の範囲】
【請求項１】
略楕円形の通気性のある上地と下地とを縫合し、その中に合繊綿及び弾力性のある発泡樹脂等のクッション材を最大に詰めて膨らませたものを履物本体とし、該履物本体の上部前寄りに甲皮を取付けた、健康促進用履物。
【請求項２】
請求項１において、履物本体の後部を次第に細めて踵部の容量を少なく形成した、健康促進用履物。
【請求項３】
請求項１において、履物本体後部の踵部を二つ割りにして、踵部の容量を少なく形成した、健康促進用履物。
【請求項４】
略楕円形の気密性を持った上地と下地とを接合し、その中に空気等の気体又は水や油状等の液体あるいはゲル状体を封入して膨らませたものを履物本体とし、該履物本体の上部前寄りに甲皮を取付けた、健康促進用履物。
【請求項５】
請求項４において、履物本体の後部を次第に細めて踵部の容量を少なく形成した、健康促進用履物。
【請求項６】
請求項４において、履物本体後部の踵部を二つ割りにして、踵部の容量を少なく形成した、健康促進用履物。
【請求項７】
請求項１、請求項２又は請求項３の形に形成される履物本体の形を、弾力性のある発泡樹脂にて一体成形し、該履物本体の上部前寄りに甲皮を取付けた、健康促進用履物。
【請求項８】
請求項１、請求項２、請求項４、請求項５及び請求項７の健康促進用履物において、該履物本体の上部前寄りに甲皮を取付けると共に、上部後寄りにも甲皮を取付けた、健康促進用履物。
【請求項９】
請求項１、請求項２、請求項３、請求項４、請求項５、請求項６及び請求項７の健康促進用履物において、履物本体上部の土踏まずに当たる部分に横長の袋状又はトンネル状の差込帯を設け、その中に粒状あるいは棒状の足裏刺激体を装着した、健康促進用履物。
【考案の詳細な説明】
【技術分野】
【０００１】  本考案は、健康促進用の履物に関するものである。
【背景技術】
【０００２】  従来、健康促進用の履物に関してはいろいろのものが提案されている。例えば下記のようなものがある。【０００３】
【特許文献１】  特開２００５−２４６０２４
【特許文献２】  特開２００６−５５６００
【考案が解決しようとする課題】
【０００４】  特開２００５−２４６０２４においては、履物（サンダル）の底部を湾曲させて、前部及び後部を傾斜状に持ち上げて前方よりの中央部のみを接地するようにしたサンダルである。これにより前後のバランスを取り難くしたものである。これは、体の前後のバランスを鍛えるためには良い提案といえる。しかし、左右のバランスはこのサンダルでは安定しているので、体の左右のバランスは鍛えられない。
特開２００６−５５６００においては、履物の底部中央に縦長の突起部を設け、左右のバランスを不安定にした履物（スリッパ、サンダル等）である。
これは、左右のバランスを鍛えるためには良い提案といえる。しかし前後のバランスは比較的安定しているので、体の前後のバランスは鍛えられない。
また、特開２００５−２４６０２４においても特開２００６−５５６００においても、主として屋外で使用する用途として提案されている。
本考案においては、主として室内で使用し、前後左右斜めあらゆる方向の体のバランスを鍛えるための履物を提案する。
【課題を解決するための手段】
【０００５】  略楕円形の通気性のある上地と下地とを縫合し、その中に合繊綿及び弾力性のある発泡樹脂等のクッション材を詰めて最大に膨らませて履物本体を形成し、該履物本体の上部前寄りに甲皮を取付けた、健康促進用履物である。
また、上記履物本体の後部を次第に細めて踵部の容量を少なく形成するか、踵部を二つ割りにして踵部の容量を少なく形成した、健康促進用履物としてもよい。
上記踵部の容量を少なく形成した履物本体においては、上部前寄りに甲皮を取付けると共に、上部後寄りにも甲皮を取付ける構造としてもよい。
【０００６】  略楕円形の気密性を持った上地と下地とを接合し、その中に空気等の気体又は水や油状等の液体あるいはゲル状体を封入して履物本体を形成し、該履物本体の上部前寄りに甲皮を取付けた、健康促進用履物としてもよい。
また、上記履物本体の後部を次第に細めて踵部の容量を少なく形成するか、二つ割りにして踵部の容量を少なく形成した、健康促進用履物としてもよい。
上記踵部の容量を少なく形成した履物本体においては、上部前寄りに甲皮を取付けると共に、上部後寄りにも甲皮を取付ける構造としてもよい。
【０００７】  上記各項のような履物本体の形を、弾力性のある発泡樹脂にて一体成形して履物本体とし、該履物本体の上部前寄りに甲皮を取付けた、健康促進用履物としてもよい。
また、前記各項のように踵部の容量を少なく形成した場合においては、上部前寄りに甲皮を取付けると共に、上部後寄りにも甲皮を取付ける構造としてもよい。
【０００８】  上記各項の履物本体上部の土踏まずに当たる部分に、横長の袋状又はトンネル状の差込帯を設け、その中に粒状又は棒状の足裏刺激体を差し込んだ構造としてもよい。
【考案の効果】
【０００９】  本考案は、履物本体が合繊綿や弾力性のある発泡樹脂等により、柔らかく弾力性を持って形成されているので、前後左右斜めに不安定となる。そのため本考案を履いて歩くとあらゆる方向のバランスをとる筋肉が鍛えられる。また、土踏まず部分に球状あるいは丸棒状の足裏刺激体を取付けることにより、土踏まずを刺激して健康効果がより促進される。
例えば、ゴルフにおいては、前後左右斜め等のいろいろな傾斜条件でショットする場合があるので、本考案によりあらゆる方向のバランスをとる筋肉を鍛えておけば、ゴルフがより上達する。
その他種々のスポーツにおいても、足腰の筋肉やバランス感覚を鍛えることは重要であり、日常の運動不足を解消する補助的手段ともなる。
本考案は室内で使用できるので、天候に関係なくいつでも使用でき、また歩き回らなくてもその場で立って重心移動をするだけでもバランス感覚が鍛えられる。
【考案を実施するための最良の形態】
【００１０】  本考案の実施の形態を図１により説明する。
略楕円形の通気性のある上地（２）と下地（３）とを縫合し、その中に合繊綿等の弾力性のある綿及び弾力性のある発泡樹脂等のクッション材（４）を詰めて最大に膨らませて履物本体（１）を形成する。
該履物本体（１）の上部前寄りに甲皮Ａ（５）を取付ける。【００１１】  上地（２）及び下地（３）は、布又は不織布等の通気性のある生地を用いることが望ましい。
クッション材（４）は、弾力性のある綿のみとするか綿と弾力性のある発泡樹脂とを混合あるいは層状にして用いるかあるいは発泡樹脂のみとする等の方法が考えられる。
【実施例１】
【００１２】  図２に履物本体（１）の後部を次第に細めて踵部の容量を少なく形成した場合の実施例１を示す。
実施例１においては、踵部の容量が少ないために平均に体重を乗せたときに重心が後に傾きバランスが取りにくい。そのため体の重心を前寄りに傾けなければならないので、足の後側の筋肉がより鍛えられる。
【実施例２】
【００１３】  図３に履物本体（１）の踵部を二つに割って、間に空間部を形成した場合の実施例２を示す。
実施例２においては、踵部が空間になっているので、実施例１よりもさらに体の重心が後に傾くので、もっと体の重心を前寄りに傾けなければならない。そのためさらに足の後側の筋肉が鍛えられる。
【実施例３】
【００１４】  略楕円形の気密性のある上地（１２）と下地（１３）とを接合し、その中に気体、液体又はゲル状体（１４）を封入して履物本体（１１）を形成する。
該履物本体（１１）の上部前寄りに甲皮Ａ（１５）を取付ける。
上地（１２）と下地（１３）は、気密性のあるプラスチックシートのような素材を使用する必要があるが、甲皮Ａ（１５）は、布や不織布のような通気性のあるものでもよいし、プラスチックシートのような通気性のないものでもよい。
気体は空気等の気体であり、液体は水や油状等の液体である。また、ゲル状体を用いてもよい。
図４にこの実施例３を示す。
尚、実施例１及び実施例２に示したような履物本体の形は、本実施例においても同様に適用できる。
【実施例４】
【００１５】  上記本考案の実施の形態あるいは実施例１又は実施例２に示すような形の履物本体（２１）を弾力性のある発泡樹脂にて一体成形し、該履物本体（２１）の上部前寄りに甲皮Ａ（２２）を取付けた、健康促進用履物とすることもできる。
本実施例においては、履物本体（２１）の全体が弾力性のある発泡樹脂で形成されているので、クッション材が不要である。
この製作方法は、履物本体（２１）の上側の本体部分と下側の本体部分とを別々に成形し、甲皮Ａ（２２）の挟み込み部分を上側の本体部分と下側の本体部分前寄りの間に挟み込み、上側の本体部分と下側の本体部分とを接着して一体化する方法と、履物本体（２１）の全体を一体で成形し、その後甲皮Ａ（２２）を履物本体（２１）の上部前寄りに取付ける方法とが考えられる。
【実施例５】
【００１６】  上記各実施の形態及び実施例において、履物本体（１）、履物本体（１１）又は履物本体（２１）の上部前寄り土踏まず部に横長の袋状又はトンネル状の差込帯（６）を設け、その中に粒状又は棒状の足裏刺激体（７）を差し込む。粒状体は、球状、楕円球状又は円盤状等の形が考えられ、棒状体は、断面形状が円形、楕円形、四角型又は多角型等の形が考えられる。
これにより、土踏まずが刺激されるので、より健康促進効果が上がる。
図５にこの実施例５の一形態を示す。
【実施例６】
【００１７】  上記実施の形態、実施例１、実施例３又は実施例４のうち、履物本体の形状が後部を次第に細めた形状のものについて、履物本体（１）については上部前寄りに甲皮Ａ（５）を取付け、上部後寄りに甲皮Ｂ（６）を取付けた構造とし、履物本体（１１）については上部前寄りに甲皮Ａ（１５）を取付け、上部後寄りに甲皮Ｂ（１６）を取付けた構造とし、履物本体（２１）については上部前寄りに甲皮Ａ（２２）を取付け、上部後寄りに甲皮Ｂ（２３）を取付けた構造とすることもできる。
これは、足の大きい人は甲皮Ａを使用し、足の小さい人は甲皮Ｂを使用するというように、一足で足のサイズの異なる複数の人が使用できるようにしたものである。
図６にこの実施例６の一形態を示す。
【実施例７】
【００１８】  上記各実施の形態及び実施例において、履物本体の上部前寄りに取付けるサンダル型の甲皮に替えて鼻緒（９）とすることも考えられる。
図７にこの実施例７の一形態を示す。
【図面の簡単な説明】
【００１９】
【図１】本考案の斜視図（一部破断図）
【図２】本考案の実施例１を示す斜視図（一部破断図）
【図３】本考案の実施例２を示す斜視図（一部破断図）
【図４】本考案の実施例３を示す斜視図（一部破断図）
【図５】本考案の実施例５を示す斜視図
【図６】本考案の実施例６を示す斜視図
【図７】本考案の実施例７を示す斜視図
【符号の説明】
【００２０】  １  履物本体
２  上地
３  下地
４  クッション材
５  甲皮Ａ
６  甲皮Ｂ
７  差込帯
８  足裏刺激体
９  鼻緒
１１  履物本体
１２  上地
１３  下地
１４  気体、液体又はゲル状体
１５  甲皮Ａ
１６  甲皮Ｂ
２１  履物本体
２２  甲皮Ａ
２３  甲皮Ｂ
【図１】
0003149784.tif 000003
【図２】
0003149784.tif 000004
【図３】
0003149784.tif 000005
【図４】
0003149784.tif 000006
【図５】
0003149784.tif 000007
【図６】
0003149784.tif 000008
【図７】
0003149784.tif 000009
【手続補正書】
【提出日】平成21年1月16日(2009.1.16)
【手続補正１】
【補正対象書類名】実用新案登録請求の範囲
【補正対象項目名】全文
【補正方法】変更
【補正の内容】
【実用新案登録請求の範囲】
【請求項１】
略楕円形の通気性のある上地と下地とを縫合し、その中に合繊綿及び弾力性のある発泡樹脂等のクッション材を最大に詰めて膨らませたものを履物本体とし、該履物本体の上部前寄りに甲皮を取付けた、健康促進用履物。
【請求項２】
請求項１において、履物本体の後部を次第に細めて踵部の容量を少なく形成した、健康促進用履物。
【請求項３】
請求項１において、履物本体後部の踵部を二つ割りにして、踵部の容量を少なく形成した、健康促進用履物。
【請求項４】
略楕円形の気密性を持った上地と下地とを接合し、その中に空気等の気体又は水や油状等の液体あるいはゲル状体を封入して膨らませたものを履物本体とし、該履物本体の上部前寄りに甲皮を取付けた、健康促進用履物。
【請求項５】
請求項４において、履物本体の後部を次第に細めて踵部の容量を少なく形成した、健康促進用履物。
【請求項６】
請求項４において、履物本体後部の踵部を二つ割りにして、踵部の容量を少なく形成した、健康促進用履物。
【請求項７】
請求項１、請求項２又は請求項３の形に形成される履物本体の形を、弾力性のある発泡樹脂にて一体成形し、該履物本体の上部前寄りに甲皮を取付けた、健康促進用履物。
【請求項８】
請求項１、請求項２、請求項４、請求項５又は請求項７の健康促進用履物において、該履物本体の上部前寄りに甲皮を取付けると共に、上部後寄りにも甲皮を取付けた、健康促進用履物。
【請求項９】
請求項１、請求項２、請求項３、請求項４、請求項５、請求項６又は請求項７の健康促進用履物において、履物本体上部の土踏まずに当たる部分に横長の袋状又はトンネル状の差込帯を設け、その中に粒状あるいは棒状の足裏刺激体を装着した、健康促進用履物。